(57)【要約】【課題】容易かつ簡単に内容器を得ることができる内容器ブランクを提供する。【解決手段】内容器用ブランク１０は底板１１と、一対の側板１２ａ、１２ｂと、一対の上板１３ａ、１３ｂとを備えている。一方の上板１３ａおよび他方の上板１３ｂに、一方の係止機構２０ａと他方の係止機構２０ｂとが各々設けられている。一方の係止機構２０ａと他方の係止機構２０ｂは略同一形状を有している。このうち一方の係止機構２０ａは容器ブランク１０の一方の側縁１５ａから幅方向に延びるとともに第１突起２２ａを有する第１直交部２１ａと、容器ブランク１０の他方の側縁１５ｂから湾曲して延びる第１湾曲部２３ａと、第１突起２２ａの基端２７ａから第１湾曲部２３ａの内方端２８ａに向って容器ブランク１０の側縁１５ａ、１５ｂに平行に延びる第１平行部２４ａとを有している。【選択図】図１
2010168088.tif 000002
【特許請求の範囲】
【請求項１】
多数の箱状容器用カートンブランクを折り畳んだ状態で保持し、段ボール箱内に収納するための一対の側縁を有する細長状内容器ブランクにおいて、
底板と、
底板の両側に連結された一対の側板と、
一対の側板に連結された一対の上板とを備え、
一対の上板および他方の上板に、一方の係止機構および他方の係止機構が各々設けられ、
一方の係止機構はブランクの一方の側縁からブランクの幅方向中央まで直交して延び、先端に第１突起を有する第１直交部と、ブランクの他方の側縁から湾曲しながらブランク内方へ延びる第１湾曲部と、第１直交部の第１突起基端から第１湾曲部の内方端に向ってブランクの両側縁に平行に延びる第１平行部とを有し、
他方の係止機構はブランクの他方の側縁からブランクの幅方向中央まで直交して延び、先端に第２突起を有する第２直交部と、ブランクの一方の側縁から湾曲しながらブランク内方へ延びる第２湾曲部と、第２直交部の第２突起基端から第２湾曲部の内方端に向ってブランクの両側縁に平行に延びる第２平行部とを有することを特徴とする内容器ブランク。
【請求項２】
底板の長さ≧一方の側板の長さ＋一方の上板の長さとなっており、かつ
底板の長さ≧他方の側板の長さ＋他方の上板の長さとなっていることを特徴とする請求項１記載の内容器ブランク。
【請求項３】
一対の側板に各々把持用穴が形成されていることを特徴とする請求項１記載の内容器ブランク。
【請求項４】
内容器ブランクの材質は段ボールとなっていることを特徴とする請求項１記載の内容器ブランク。
【発明の詳細な説明】
【技術分野】
【０００１】
本発明は多数の箱状容器用カートンブランクを折り畳んだ状態で保持し、段ボール箱内に収納するための内容器ブランクに係り、とりわけ容易かつ簡単に組み立てることができる内容器ブランクに関する。
【背景技術】
【０００２】
従来より箱状容器を作製するため箱状容器用カートンブランクが使用されている。このような箱状容器用カートンブランクは多数集められて段ボール箱内に収納されるが、このとき多数の箱状容器用カートンブランクは折り畳んだ状態で一旦、コ字状のパッド（内容器）内に収納されて保持され、その後カートンブランクはパッドとともに段ボール箱内に収納される。
【０００３】
コ字状パッドは一段に段ボール製となっており、多数のカートンブランクを収納した後はコ字状パッドの両端がガムテープ等で固定される。
【０００４】
しかしながらコ字状パッドの両端をガムテープ等で固定した場合、パッド内からカートンブランクを取出す際、パッドの両端からガムテープを剥離する必要がある。このようにパッドの両端からガムテープを剥離すると、パッド表面から剥離粉が散乱することがある。またガムテープを剥離した後、このパッドを再利用することもむずかしい。
【０００５】
他方、箱体を輸送したり保管するため、スリーブ包装体が用いられている（特許文献１参照）。このようなスリーブ包装体において、差し込み片６を差し込み口７内に挿入することにより、スリーブ包装体の両端部が係止されるが、この場合、差し込み片６を差し込み口７内に挿入する作業は容易ではない。
【先行技術文献】
【特許文献】
【０００６】
【特許文献１】特開２００２−３３７８４３号公報
【発明の概要】
【発明が解決しようとする課題】
【０００７】
本発明はこのような点を考慮してなされたものであり、ガムテープを用いることなく容易かつ簡単に組み立てて内容器を得ることができる内容器ブランクを提供することを目的とする。
【課題を解決するための手段】
【０００８】
本発明は、多数の箱状容器用カートンブランクを折り畳んだ状態で保持し、段ボール箱内に収納するための一対の側縁を有する細長状内容器ブランクにおいて、底板と、底板の両側に連結された一対の側板と、一対の側板に連結された一対の上板とを備え、一対の上板および他方の上板に、一方の係止機構および他方の係止機構が各々設けられ、一方の係止機構はブランクの一方の側縁からブランクの幅方向中央まで直交して延び、先端に第１突起を有する第１直交部と、ブランクの他方の側縁から湾曲しながらブランク内方へ延びる第１湾曲部と、第１直交部の第１突起基端から第１湾曲部の内方端に向ってブランクの両側縁に平行に延びる第１平行部とを有し、他方の係止機構はブランクの他方の側縁からブランクの幅方向中央まで直交して延び、先端に第２突起を有する第２直交部と、ブランクの一方の側縁から湾曲しながらブランク内方へ延びる第２湾曲部と、第２直交部の第２突起基端から第２湾曲部の内方端に向ってブランクの両側縁に平行に延びる第２平行部とを有することを特徴とする内容器ブランクである。
【０００９】
本発明は、底板の長さ≧一方の側板の長さ＋一方の上板の長さとなっており、かつ底板の長さ≧他方の側板の長さ＋他方の上板の長さとなっていることを特徴とする内容器ブランクである。
【００１０】
本発明は、一対の側板に各々把持用穴が形成されていることを特徴とする内容器ブランクである。
【００１１】
本発明は、内容器ブランクの材質は段ボールとなっていることを特徴とする内容器ブランクである。
【発明の効果】
【００１２】
以上のように本発明によれば、内容器ブランクを容易に組み立てて、簡単に内容器を得ることができる。この場合、係止手段としてガムテープ等を用いる必要はなく、内容器を分解した後も、内容器ブランクを再利用することができる。
【図面の簡単な説明】
【００１３】
【図１】図１（ａ）は本発明による内容器ブランクを示す平面図であり、図１（ｂ）は図１（ａ）のＢ部分拡大図。
【図２】図２（ａ）は箱状容器用カートンブランクの平面図、図２（ｂ）は折り畳まれたカートンブランクを示す図。
【図３】内容器内に収納保持されたカートンブランクを段ボール箱内に収納した状態を示す図。
【発明を実施するための形態】
【００１４】
以下、図面を参照して本発明の実施の形態について説明する。
【００１５】
図１乃至図３は、本発明による内容器ブランクの一実施の形態を示す図である。
【００１６】
まず、図２（ａ）（ｂ）および図３により、箱状容器用カートンブランクと、この箱状容器用カートンブランクを収納する段ボール箱について説明する。
【００１７】
図２（ａ）（ｂ）に示すように、箱状容器用カートンブランク１は複数のパネル２，２・・・と、各パネル間の折罫３，３，・・・とを有している。このようなカートンブランク１は組立てられて、例えば牛乳用の箱状容器となる。
【００１８】
カートンブランク１は折り畳んだ状態で、多数束ねられ、内容器１０Ａ内に収納されて保持される。そして多数のカートンブランク１は内容器１０Ａとともに、段ボール箱５内に収納される（図３）。
【００１９】
内容器１０Ａは内容器ブランク１０を組み立てることにより得られるが、この内容器ブランク１０について、以下図１（ａ）（ｂ）および図３により説明する。
【００２０】
ここで図１（ａ）は内容器ブランク１０の平面図であり、図１（ｂ）は図１（ａ）のＢ部拡大図である。図１（ａ）（ｂ）に示すように、内容器ブランク１０は一対の側縁１５ａ、１５ｂを有する細長状の形状を有し、その材料はＢフルートからなる段ボールからなっている。ここでＢフルートはフルートの数／３０ｃｍが５０±２となっており、Ｂフルートの厚みは約３．０ｍｍとなっており、比較的平面圧縮強さが強く、堅い物を梱包するのに適している。
【００２１】
このような内容器ブランク１０は、図１（ａ）（ｂ）および図３に示すように、底板１１と、底板１１の両側に連結された一対の側板１２ａ、１２ｂと、一対の側板１２ａ、１２ｂに連結された一対の上板１３ａ、１３ｂとを備えている。
【００２２】
また一方の上板１３ａに一方の係止機構２０ａが設けられ、他方の上板１３ｂに、一方の係止機構２０ａに係合する他方の係止機構２０ｂが設けられている。
【００２３】
このうち一方の上板１３ａに設けられた一方の係止機構２０ａは、内容器ブランク１０の一方の側縁１５ａから内容器ブランク１０幅方向中央まで直交して延び、先端に第１突起２２ａを有する第１直交部２１ａと、内容器ブランク１０の他方の側縁１５ｂから湾曲しながら内容器ブランク１０内方へ延びる第１湾曲部２３ａと、第１直交部２１ａの第１突起２２ａの基端２７ａから第１湾曲部２３ａの内方端２８ａに向って内容器ブランク１０の両側縁１５ａ、１５ｂと平行に延びる第１平行部２４ａとを有している。
【００２４】
また他方の上板１３ｂに設けられた他方の係止機構２０ｂは、内容器ブランク１０の他方の側縁１５ｂから内容器ブランク１０幅方向中央まで直交して延び、先端に第２突起２２ｂを有する第２直交部２１ｂと、内容器ブランク１０の一方の側縁１５ａから湾曲しながら内容器ブランク１０内方へ延びる第２湾曲部２３ｂと、第２直交部２１ｂの第２突起２２ｂの基端２７ｂから第２湾曲部２３ｂの内方端２８ｂに向って内容器ブランク１０の両側縁１５ａ、１５ｂと平行に延びる第２平行部２４ｂとを有している。
【００２５】
また、内容器ブランク１０の全長が１５２０ｍｍであり、全幅が３８５ｍｍのとき、第１突起２２ａおよび第２突起２２ｂの突出長さ（第１平行部２４ａおよび第２平行部２４ｂからの突出長さ）２５は、約３０ｍｍとなっている。
【００２６】
ところで、内容器ブランク１０の一方の側板１２ａおよび他方の側板１２ｂには、組立てられた内容器１０Ａを把持するための把持用穴１７ａ、１７ｂが各々形成されている。  また、内容器ブランク１０の底板１１、一方の側板１２ａ、他方の側板１２ｂ、一方の上板１３ａ、および他方の上板１３ｂの長さは、以下のとおり定められている。
【００２７】
底板１１の長さ≧一方の側板１２ａの長さ＋一方の上板１３ａの長さ
底板１１の長さ≧他方の側板１２ｂの長さ＋他方の側板１３ｂの長さ
底板１１の長さ、一方の側板１２ａの長さ、他方の側板１２ｂの長さ、一方の上板１３ａの長さおよび他方の上板の長さを上記のように定めることにより、内容器ブランク１０を折り畳んだ際、内容器ブランク１０を底板１１の長さ内に収めることができる。
【００２８】
すなわち、内容器ブランク１０を折り畳む際、まず底板１１に対して、一方の側板１２ａと一方の上板１３ａを折り畳む。次に一方の側板１２ａと一方の上板１３ａ上に他方の側板１２ｂと他方の上板１３ｂを折り畳む。この場合、底板１１、一方の側板１２ａ、他方の側板１２ｂ、一方の上板１３ａおよび他方の側板１３ｂの長さを上記のように定めることにより、折り畳まれた内容器ブランク１０は底板１１の長さ内に収まるため、内容器ブランク１０をコンパクトに折り畳むことができる。
【００２９】
次にこのような構成からなる本実施の形態の作用について説明する。
【００３０】
まず、多数の箱状容器用カートンブランク１を折り畳んだ状態で集積して束ねる。この間、内容器ブランク１０を組み立てて内容器１０Ａを作製する。次にこの内容器１０Ａ内に、折り畳まれた多数の箱状容器用カートンブランク１を束ねて収納し、一方の係止機構２０ａに他方の係止機構２０ｂを係止することにより、内容器１０Ａを堅固に固定し、このことにより内容器１０Ａ内に多数のカートンブランク１を収納保持することができる。
【００３１】
次に内容器１０Ａ内に収納保持された多数のカートンブランク１を、把持用穴１７ａ、１７ｂを把持して内容器１０Ａとともに段ボール箱５内に収納することができる。
【００３２】
次に内容器ブランク１０の組み立て作用について詳述する。
【００３３】
まず、内容器ブランク１０の底板１１に対して一対の側板１２ａ、１２ｂを立ち上げる。次に一対の側板１２ａ、１２ｂに対して、一対の上板１３ａ、１３ｂを折り畳む。このようにして内容器ブランク１０を組立てることができる。
【００３４】
一方の上板１３ａに設けられた一方の係止機構２０ａと他方の上板１３ｂに設けられた他方の係止機構２０ｂを係止する場合、まず一方の係止機構２０ａの第１直交部２１ａを、他方の係止機構２０ｂの第２湾曲部２３ｂに当接させる。次に一方の係止機構２０ａと他方の係止機構２０ｂとを互いに接近させる。このとき一方の係止機構２０ａの第１直交部２１ａが他方の係止機構２０ｂの第２湾曲部２３ｂに対して摺動して、第１直交部２１ａが他方の係止機構２０ｂの第２内方端２８ｂ側へ向う。
【００３５】
このようにして、一方の係止機構２０ａの第１突起２２ａと他方の係止機構２０ｂの第２突起２２ｂとが係合することにより、一方の係止機構２０ａと他方の係止機構２０ｂとが係止する。
【００３６】
以上のように、本実施の形態によれば、一方の係止機構２０ａと他方の係止機構２０ｂとを係止する場合、一方の係止機構２０ａの第１直交部２１ａを他方の係止機構２０ｂの第２湾曲部２３ｂに沿って摺動させるだけで係止することができる。このとき、第１直交部２１ａは第２湾曲部２３ｂと点接触しながら摺動することになり、側縁同志を位置合わせして係合する場合に比べて容易かつ簡単に係止することができる。
【００３７】
また、内容器１０Ａを分解する場合、一方の係止機構２０ａと他方の係止機構２０ｂを取外すだけで良いので、ガムテープ等を用いて内容器ブランク１０を固定する場合に比べて、ガムテープにより剥離粉が散乱したりすることもない。
【００３８】
また、ブランクの両端に各々切れ込みを設けてブランクの両端を係止する場合、ブランクの一端とブランクの他端とが幅方向にずれてしまうことも考えられる。
【００３９】
これに対して本願発明によれば、一方の係止機構２０ａの第１突起２２ａと、他方の係止機構２０ｂの第２突起２２ｂとが係合することにより、一方の係止機構２０ａと他方の係止機構２０ｂとが係止するので、一方の係止機構２０ａと他方の係止機構２０ｂとが係止した場合に、一方の上板１３ａが他方の上板１３ｂに対して内容器ブランク１０の幅方向にずれてしまうことはない。
【符号の説明】
【００４０】
１                箱状容器用カートンブランク
２                パネル
３                折罫
５                ダンボール箱
１０              内容器ブランク
１０Ａ            内容器
１１              底板
１２ａ、１２ｂ    側板
１３ａ、１３ｂ    上板
１５ａ、１５ｂ    側縁
１７ａ、１７ｂ    把持用穴
２０ａ、２０ｂ    係止機構
２１ａ            第１直交部
２１ｂ            第２直交部
２２ａ            第１突起
２２ｂ            第２突起
２３ａ            第１湾曲部
２３ｂ            第２湾曲部
２４ａ            第１平行部
２４ｂ            第２平行部
【図１】
2010168088.tif 000003
【図２】
2010168088.tif 000004
【図３】
2010168088.tif 000005